(57)【特許請求の範囲】
【請求項１】
第１方向に引張力が加えられた単位マスクの両端部を支持するフレームであって、
前記単位マスクを露出させる開口部を形成するフレーム本体部、および
前記フレーム本体部に設置され、前記第１方向と交差する第２方向に前記単位マスクの端部を引張する端部引張ユニット
を含み、
前記単位マスクは複数であり、
前記複数の単位マスクは互いに隣接して前記第２方向に配置され、
前記フレーム本体部は、前記フレーム本体部の表面から陥没形成され、前記複数の単位マスクそれぞれの間に位置するグルーブ（ｇｒｏｏｖｅ）を含み、
前記端部引張ユニットは前記グルーブ内部に位置する、フレーム。
【請求項２】
前記単位マスクの前記端部の前記第２方向上の中央領域は前記フレーム本体部の表面に溶接され、前記単位マスクの前記端部の前記第２方向上の外郭領域は前記端部引張ユニットに溶接される、請求項１に記載のフレーム。
【請求項３】
前記端部引張ユニットは、
前記グルーブの表面から陥没形成され、前記第２方向に延長したスライドガイド部、および
前記スライドガイド部に装着され、前記第２方向にスライディングし、前記単位マスクの前記端部の前記第２方向上の外郭領域が表面に溶接されたスライド部
を含む、請求項１に記載のフレーム。
【請求項４】
前記端部引張ユニットは、
前記スライド部を貫通し、前記グルーブを形成する前記フレーム本体部の両側壁間を前記第２方向に連結する離脱防止軸
をさらに含む、請求項３に記載のフレーム
【請求項５】
前記端部引張ユニットは、
前記スライド部の前記第２方向へのスライディング程度を調節する調節部
をさらに含む、請求項３に記載のフレーム。
【請求項６】
前記調節部は、
前記グルーブを形成する前記フレーム本体部の側壁に設置され、前記スライド部方向に突出しており、内部に第１鋸歯が形成された第１結合部、
前記第１結合部と重なるように前記フレーム本体部の側壁と対向する前記スライド部の側壁に設置され、前記フレーム本体部の側壁方向に突出しており、内部に前記第１鋸歯と対応する第２鋸歯が形成された第２結合部、
前記第１鋸歯と前記第２鋸歯の間で前記第１鋸歯および前記第２鋸歯と結合する歯車、
および
前記歯車の中央に結合し、前記フレーム本体部の外部に突出した回転軸
を含む、請求項５に記載のフレーム。
【請求項７】
請求項１〜６のうちのいずれか一項に記載のフレーム、および
前記第１方向に引張力が加えられて前記両端部が前記フレームに支持された１つ以上の単位マスク
を含む、マスク組立体。
【発明の詳細な説明】
【技術分野】
【０００１】
本発明は、フレームおよびこれを含むマスク組立体に関し、より詳細には、有機発光層の蒸着時に利用される単位マスクを支持するフレームおよびこれを含むマスク組立体に関する。
【背景技術】
【０００２】
表示装置はイメージを表示する装置であって、最近では有機発光表示装置（ｏｒｇａｎｉｃ  ｌｉｇｈｔ  ｅｍｉｔｔｉｎｇ  ｄｉｏｄｅ  ｄｉｓｐｌａｙ）が注目を集めている。
【０００３】
有機発光表示装置は自体発光特性を有し、液晶表示装置（ｌｉｑｕｉｄ  ｃｒｙｓｔａｌ  ｄｉｓｐｌａｙａｙ  ｄｅｖｉｃｅ）とは異なって別途の光源を必要としないため、厚さと重量を減らすことができる。また、有機発光表示装置は、低い消費電力、高い輝度、および高い反応速度などの高品位特性を示す。
【０００４】
有機発光表示装置を製造するためには、特定パターンを有する電極と有機発光層などを形成しなければならないが、その形成法としてマスク組立体を利用した蒸着法が適用されるようになる。
【０００５】
より詳細に、有機発光表示装置は、基板に画像表現の基本単位の画素（ｐｉｘｅｌ）がマトリックス形態に配列され、それぞれの画素ごとに赤色（Ｒｅｄ）、緑色（Ｇｒｅｅｎ）、青色（Ｂｌｕｅ）、および白色（Ｗｈｉｔｅ）などの光を発光するそれぞれの有機発光層を間において正極の第１電極と負極の第２電極が順に形成された有機発光素子が配置される構成を有する。ここで、有機発光層をなす有機物質は、水分および酸素などに極めて弱く、有機発光層を形成する工程および有機発光層を形成した後にも水分から徹底して隔離させなければならないため、通常のフォトリソグラフィ工程を利用してパターニングを行うことが難しい。したがって、有機発光層は、主に、各パターンに対応する部分にのみ蒸着物質が貫通するための開口したパターン部が形成されているマスクを利用して形成する。
【０００６】
最近、開口部を備えたフレーム、開口部に対応して両端部がフレームに固定するバンド形状の複数の単位マスクを含むマスク組立体が用いられていた。
【０００７】
このような従来のマスク組立体は、単位マスクの長さ方向に引張力が加えられてフレームに支持されるため、単位マスクに長さ方向に加えられる引張力により、意図とせずに単位マスクの幅方向にシワ（ｗａｖｅ）が発生するという問題点があった。
【発明の概要】
【発明が解決しようとする課題】
【０００８】
本発明の一実施形態は、上述した問題点を解決するためのものであって、単位マスクの長さ方向に加えられる引張力によって単位マスクの幅方向にシワが発生することを抑制するフレームおよびこれを含むマスク組立体を提供することを目的とする。
【課題を解決するための手段】
【０００９】
上述したような技術的課題を達成するために、本発明の第１側面は、第１方向に引張力が加えられた単位マスクの両端部を支持するフレームであって、前記単位マスクを露出させる開口部を形成するフレーム本体部、および前記フレーム本体部に設置され、前記第１方向と交差する第２方向に前記単位マスクの端部を引張する端部引張ユニットを含むフレームを提供する。
【００１０】
前記単位マスクは複数であり、前記複数の単位マスクは互いに隣接して前記第２方向に配置され、前記単位マスクの端部の前記第２方向上の中央領域は前記フレーム本体部の表面に溶接され、前記単位マスクの端部の前記第２方向上の外郭領域は前記端部引張ユニットに溶接されてもよい。
【００１１】
前記フレーム本体部は、前記フレーム本体部の表面から陥没形成され、前記複数の単位マスクそれぞれの間に位置するグルーブ（ｇｒｏｏｖｅ）を含み、前記端部引張ユニットは前記グルーブ内部に位置してもよい。
【００１２】
前記端部引張ユニットは、前記グルーブの表面から陥没形成され、前記第２方向に延長したスライドガイド部、および前記スライドガイド部に装着され、前記第２方向にスライディングし、前記単位マスクの端部の前記第２方向上の外郭領域が表面に溶接されたスライド部を含んでもよい。
【００１３】
前記端部引張ユニットは、前記スライド部を貫通して前記グルーブを形成する前記フレーム本体部の両側壁間を前記第２方向に連結する離脱防止軸をさらに含んでもよい。
【００１４】
前記端部引張ユニットは、前記スライド部の前記第２方向へのスライディング程度を調節する調節部をさらに含んでもよい。
【００１５】
前記調節部は、前記グルーブを形成する前記フレーム本体部の側壁に設置され、前記スライド部方向に突出しており、内部に第１鋸歯が形成された第１結合部、前記第１結合部と重なるように前記フレーム本体部の側壁と対向する前記スライド部の側壁に設置され、前記フレーム本体部の側壁方向に突出しており、内部に前記第１鋸歯と対応する第２鋸歯が形成された第２結合部、前記第１鋸歯と前記第２鋸歯の間で前記第１鋸歯および前記第２鋸歯と結合する歯車、および前記歯車の中央に結合し、前記フレーム本体部の外部に突出した回転軸を含んでもよい。
【００１６】
また、本発明の第２側面は、前記フレーム、および前記第１方向に引張力が加えられて前記両端部が前記フレームに支持された１つ以上の単位マスクを含むマスク組立体を提供する。
【発明の効果】
【００１７】
上述した本発明の解決手段の一部実施形態のうちの１つによれば、単位マスクの長さ方向に加えられる引張力によって単位マスクの幅方向にシワが発生することを抑制するフレームおよびこれを含むマスク組立体が提供される。
【図面の簡単な説明】
【００１８】
【図１】本発明の第１実施形態に係るマスク組立体を示す斜視図である。
【図２】図１のＡ部分を示す図である。
【図３】図２のＩＩＩ−ＩＩＩに沿った断面図である。
【図４】本発明の第２実施形態に係るマスク組立体の一部分を示す図である。
【図５】図４のＶ−Ｖに沿った断面図である。
【発明を実施するための形態】
【００１９】
以下、添付の図面を参照しながら、本発明の多様な実施形態に対し、本発明が属する技術分野において通常の知識を有する者が容易に実施できるように詳しく説明する。本発明は多様に相違した形態で実現されることができ、ここで説明する実施形態に限定されることはない。
【００２０】
本発明を明確に説明するために説明上で不必要な部分は省略し、明細書全体に渡って同一または類似する構成要素については同じ参照符号を付与する。
【００２１】
また、多様な実施形態において、同じ構成を有する構成要素については同じ符号を用い、代表的に第１実施形態で説明し、その他の実施形態では第１実施形態とは異なる構成のみを説明する。
【００２２】
また、図面に示す各構成の大きさおよび厚さは、説明の便宜のために任意に示したものであり、本発明が必ずしも図に示すものに限定されることはない。
【００２３】
また、明細書全体において、ある部分がある構成要素を「含む」とするとき、これは特に反対となる記載がない限り、他の構成要素を除くのではなく、他の構成要素をさらに包含できることを意味する。また、明細書全体において、「〜上に」というのは、対象の部分の上または下に位置することを意味するものであり、必ずしも重力方向を基準として上側に位置することを意味するのではない。
【００２４】
以下、図１〜図３を参照しながら、本発明の第１実施形態に係るマスク組立体について説明する。
【００２５】
図１は、本発明の第１実施形態に係るマスク組立体を示す斜視図である。
【００２６】
図１に示すように、本発明の第１実施形態に係るマスク組立体は、複数の単位マスク１００およびフレーム２００を含む。
【００２７】
単位マスク１００は、長さ方向の第１方向に延長したバンド形態であり、第１方向に引張力が加えられた状態で両端部１００ａがフレーム２００に支持される。単位マスク１００は複数であるが、複数の単位マスク１００は、第１方向と交差する単位マスク１００の幅方向の第２方向に沿って互いに隣接してフレーム２００に配置される。単位マスク１００の両端部１００ａはフラット（ｆｌａｔ）な形態に形成されるが、これに限定されることはなく、中央領域が陥没した馬蹄のような形態などの多様な形態に形成されてもよい。
【００２８】
単位マスク１００はパターン部１１０を含む。
【００２９】
パターン部１１０は、１つの単位マスク１００に第１方向に複数が配置されている。パターン部１１０は１つの有機発光表示装置に対応してもよいが、この場合、単位マスク１００を通じて単一工程によって多数の有機発光表示装置を構成するパターンを、有機発光表示装置が製造されるマザー基板に同時に形成してもよい。すなわち、パターン部１１０は、有機発光表示装置を構成するパターンの蒸着領域に対応して単位マスク１００に配置される。パターン部１１０は、有機発光表示装置を構成するパターンがパターン部１１０を通じてマザー基板に形成されるように単位マスク１００を貫通するオープンパターン形態を有する。パターン部１１０の形態は、ストライプ（ｓｔｒｉｐｅ）タイプの複数のスリット（ｓｌｉｔ）を含む。
【００３０】
フレーム２００は、第１方向に引張力が加えられた複数の単位マスク１００それぞれの両端部１００ａを固定および支持する。フレーム２００に固定される単位マスク１００は、第１方向に引張力が印加された状態で単位マスク１００に支持されるが、これによって単位マスク１００の延長方向の第１方向に沿って圧縮力が作用するため、フレーム２００単位マスク１００の圧縮力による変形が起こらないように剛性が大きいステンレス鋼（ｓｔａｉｎｌｅｓｓ  ｓｔｅｅｌ）などのような金属材料で形成されてもよい。
【００３１】
図２は、図１のＡ部分を示す図である。図３は、図２のＩＩＩ−ＩＩＩに沿った断面図である。
【００３２】
図２および図３に示すように、フレーム２００は、フレーム本体部２１０および端部引張ユニット２２０を含む。
【００３３】
フレーム本体部２１０は、単位マスク１００のパターン部１１０を露出させる開口部（ＯＡ）を形成し、複数の単位マスク１００それぞれの両端部１００ａに沿って閉ループ（ｃｌｏｓｅｄ  ｌｏｏｐ）形態に延長している。フレーム本体部２１０の表面２１０ａには、単位マスク１００端部１００ａの第２方向上の中央領域（ＣＡ）が溶接されている。フレーム本体部２１０はグルーブ（ｇｒｏｏｖｅ）２１１を含む。
【００３４】
グルーブ２１１は、フレーム本体部２１０の表面２１０ａから陥没形成されている。グルーブ２１１は、フレーム本体部２１０の表面２１０ａから陥没形成され、複数の単位マスク１００それぞれの間に位置している。グルーブ２１１の内部には端部引張ユニット２２０が位置している。
【００３５】
端部引張ユニット２２０はグルーブ２１１内部に位置し、フレーム本体部２１０に設置され、第１方向と交差する第２方向に単位マスク１００の端部１００ａを引張する。単位マスク１００の端部１００ａの第２方向上の外郭領域（ＥＡ）が溶接されている。端部引張ユニット２２０は、スライドガイド部２２１、スライド部２２２、および調節部２２３を含む。
【００３６】
スライドガイド部２２１は、グルーブ２１１の表面から陥没形成されて第２方向に延長している。スライドガイド部２２１にはスライド部２２２が装着されている。
【００３７】
スライド部２２２は、スライドガイド部２２１に装着され、第２方向にスライディング（ｓｌｉｄｉｎｇ）し、スライド部２２２の表面２２２ａには単位マスク１００の端部１００ａの第２方向上の外郭領域（ＥＡ）が溶接されている。これにより、スライド部２２２が第２方向にスライディングすれば、単位マスク１００の端部１００ａには第２方向に引張力が発生する。
【００３８】
調節部２２３は、スライド部２２２の第２方向へのスライディング程度を調節する。調節部２２３によって単位マスク１００の端部１００ａに発生する第２方向への引張力が調節される。調節部２２３は、第１結合部２２３ａ、第２結合部２２３ｂ、歯車２２３ｃ、および回転軸２２３ｄを含む。第１結合部２２３ａは第２結合部２２３ｂと重なっている。
【００３９】
第１結合部２２３ａは、グルーブ２１１を形成するフレーム本体部２１０の側壁２１０ｂに設置され、スライド部２２２の側壁２２２ｂ方向に突出しており、内部に第１鋸歯（Ｓ１）が形成されている。第１結合部２２３ａは「コ」字形態を有しているが、これに限定されることはなく、本発明の他の実施形態に係る第１結合部は「─」、「┬」、「┴」などの多様な形態を有してもよい。
【００４０】
第１結合部２２３ａは、第２結合部２２３ｂと一部が重なっている。
【００４１】
第２結合部２２３ｂは、第１結合部２２３ａと重なるようにフレーム本体部２１０の側壁２１０ｂと対向するスライド部２２２の側壁２２２ｂに設置され、フレーム本体部２１０の側壁２１０ｂ方向に突出している。第２結合部２２３ｂの内部には、第１鋸歯（Ｓ１）と対応する第２鋸歯（Ｓ２）が形成されている。第２結合部２２３ｂは「コ」字形態を有しているが、これに限定されることはなく、本発明の他の実施形態に係る第２結合部は「─」、「┬」、「┴」などの多様な形態を有してもよい。
【００４２】
第２結合部２２３ｂと第１結合部２２３ａの間には、歯車２２３ｃおよび回転軸２２３ｄが位置している。
【００４３】
歯車２２３ｃは、第１鋸歯（Ｓ１）と第２鋸歯（Ｓ２）の間で第１鋸歯（Ｓ１）および第２鋸歯（Ｓ２）と結合している。
【００４４】
回転軸２２３ｄは、歯車２２３ｃの中央に結合し、フレーム本体部２１０の外部に突出している。回転軸２２３ｄは、フレーム本体部２１０に支持された状態で回転してもよい。回転軸２２３ｄを回転させれば歯車２２３ｃが回転するようになり、回転軸２２３ｄがフレーム本体部２１０の外部に突出することによって回転軸２２３ｄを回転させ、歯車２２３ｃの回転を容易に行えるようになる。
【００４５】
このように、調節部２２３の回転軸２２３ｄを時計方向または反時計方向に回転させて歯車２２３ｃを時計方向または反時計方向に回転させれば、歯車２２３ｃに結合した第１鋸歯（Ｓ１）が形成された第１結合部２２３ａおよび第２鋸歯（Ｓ２）が形成された第２結合部２２３ｂそれぞれが第２方向上で互いに反対方向に移動することにより、スライド部２２２の第２方向へのスライディング程度が調節されるため、単位マスク１００の端部１００ａに発生する第２方向に引張力を調節できるようになる。
【００４６】
上述したスライド部２２２は、調節部２２３によって第２方向へのスライディング程度が調節されるが、これに限定されることはなく、本発明の他の実施形態に係るスライド部は、多様な構造によって第２方向へのスライディング程度を調節してもよい。
【００４７】
また、上述した端部引張ユニット２２０は、スライドガイド部２２１、スライド部２２２、および調節部２２３を含むが、これに限定されることはなく、本発明の他の実施形態に係る端部延長ユニットは、第１方向と交差する第２方向に単位マスクの端部を引張することができれば多様な構成要素を含んでもよい。
【００４８】
以上のように、本発明の第１実施形態に係るマスク組立体は、単位マスク１００の長さ方向の第１方向に引張された複数の単位マスク１００それぞれの両端部１００ａが支持されたフレーム２００が単位マスク１００の端部１００ａを単位マスク１００の幅方向の第２方向に引張する端部引張ユニット２２０を含むことにより、単位マスク１００の長さ方向の第１方向に加えられる引張力によって、意図とせずに単位マスク１００の幅方向である第２方向に単位マスク１００にシワ（ｗａｖｅ）が発生することが抑制される。
【００４９】
また、本発明の第１実施形態に係るマスク組立体は、端部引張ユニット２２０のスライド部２２２の第２方向のスライディング程度を調節部２２３を利用して調節することができるため、単位マスク１００に第２方向にシワが発生しても、調節部２２３を利用してスライド部２２２のスライディング程度を調節することにより、単位マスク１００に発生したシワを除去することができる。これは、マスク組立体を利用する現場において発生する予期しない問題によって発生する単位マスク１００のシワを解決することができる要因として作用される。
【００５０】
以下、図４および図５を参照しながら、本発明の第２実施形態に係るマスク組立体について説明する。
【００５１】
以下、第１実施形態と区別される特徴的な部分のみを抜粋して説明するが、説明が省略された部分は第１実施形態に基づく。また、本発明の第２実施形態では、説明の便宜のために同一する構成要素については本発明の第１実施形態と同じ参照番号を用いて説明する。
【００５２】
図４は、本発明の第２実施形態に係るマスク組立体の一部分を示す図である。図５は、図４のＶ−Ｖに沿った断面図である。
【００５３】
図４および図５に示すように、本発明の第２実施形態に係るマスク組立体のフレーム２０２の端部引張ユニット２２０は、スライドガイド部２２１、スライド部２２２、調節部２２３、および離脱防止軸２２４を含む。
【００５４】
離脱防止軸２２４は、フレーム本体部２１０の両側壁２１０ｂ間を第２方向に連結している。離脱防止軸２２４は、スライド部２２２を貫通しており、離脱防止軸２２４がフレーム本体部２１０の両側壁２１０ｂ間を連結している状態でスライド部２２２を貫通することにより、スライド部２２２が第２方向にスライディングするとき、スライド部２２２がスライドガイド部２２１から離脱することが防がれる。
【００５５】
以上のように、本発明の第２実施形態に係るマスク組立体は、端部引張ユニット２２０が離脱防止軸２２４を含むことにより、スライド部２２２がスライドガイド部２２１から離脱することが防がれる。これにより、スライド部２２２を第２方向にスライディングするとき、全体的な機構の信頼性が向上する。
【００５６】
本発明を上述したような好ましい実施形態を参照しながら説明したが、本発明はこれに限定されることはなく、添付の特許請求の範囲の概念と範囲を逸脱しない限り、多様な修正および変形が可能であるということは、本発明が属する技術分野に従事する者であれば容易に理解できるであろう。
【符号の説明】
【００５７】
１００：単位マスク
２１０：フレーム本体部
２２０：端部引張ユニット２２０
【図１】
0005999837.tif 000002
【図２】
0005999837.tif 000003
【図３】
0005999837.tif 000004
【図４】
0005999837.tif 000005
【図５】
0005999837.tif 000006